(57)【要約】【課題】ターミナル装置とネットワーク要素との間でアップリンクシグナリング及びデータ送信を遂行する方法を提供する。【解決手段】この方法は、送信中、ＳＲＳと、コントロールチャンネルと、ＤＲＳと、データチャンネルとの間にＴＤＭ及びＦＤＭの少なくとも１つを適用することを含む。ＳＲＳ及びコントロールチャンネルに対しクラスター化サブキャリアマッピングが適用される。ＳＲＳは、コントロールチャンネルに対しＤＲＳとして働くように送信される。同じサブフレーム中に、コントロールチャンネル及びデータチャンネルが送信される。又、この方法では、ＳＲＳを受信し、同じサブフレーム中にコントロールチャンネル及びデータチャンネルを受信する。コントロールチャンネル及びデータチャンネルからコントロール情報及びデータを抽出する。ＳＲＳは、コントロールチャンネルに対するＤＲＳとして使用される。【選択図】図１２
2014140233.tif 000002
【特許請求の範囲】
【請求項１】
ターミナル装置とネットワーク要素との間でアップリンクシグナリング及びデータ送信を遂行するための方法において、
送信中に、サウンディング基準信号と、コントロールチャンネルと、復調基準信号と、データチャンネルとの間に時分割多重化及び周波数分割多重化の少なくとも１つを適用するステップと、
サウンディング基準信号及びコントロールチャンネルに対してクラスター化サブキャリアマッピングを適用するステップと、
サウンディング基準信号を送信してコントロールチャンネルに対して復調基準信号として機能させるステップと、
同じサブフレーム中に、コントロールチャンネル及びデータチャンネルを送信するステップと、
を備えた方法。
【請求項２】
送信すべきコントロール信号がないのに応答して、コントロールチャンネルに対して割り当てられた少なくともアップリンクリソースを使用してデータを送信するステップを更に備えた、請求項１に記載の方法。
【請求項３】
コントロールチャンネルは、データ非関連物理的アップリンクコントロールチャンネルであり、データチャンネルは、物理的アップリンク共有チャンネルである、請求項１に記載の方法。
【請求項４】
全アップリンク帯域巾は、１００ＭＨｚであり、各々１０ＭＨｚ帯域巾のクラスターが１０個ある、請求項１に記載の方法。
【請求項５】
サウンディング基準信号を送信するためにターミナル装置によって複数のクラスターが使用される、請求項１に記載の方法。
【請求項６】
複数のクラスターは、周波数的に隣接している、請求項５に記載の方法。
【請求項７】
コントロールチャンネル及びデータチャンネルを送信する前記ステップは、
コントロールチャンネル、及びデータチャンネルの第１部分を第１タイムスロットの間に送信し、サウンディング基準信号は、この第１タイムスロットにおいて送信され、
データチャンネルの残り部分を第２タイムスロットの間に送信する、
ことを含む請求項１に記載の方法。
【請求項８】
第１プロトコルに関連したデータチャンネルが第２プロトコルに関連したデータチャンネルにオーバーラップする場合に少なくとも２つの記号をパンクチャーするステップを更に備えた、請求項１に記載の方法。
【請求項９】
周波数分割多重化が適用され、スロットベース周波数ホッピングがコントロールチャンネルに対して使用される、請求項１に記載の方法。
【請求項１０】
クラスター化サブキャリアマッピングは、利用可能な周波数ピンの合計数Ｋ＿ｔｏｔ、ブロック当たりの利用可能な周波数ピンの数Ｋ＿ｂｌ、割り当てられた周波数ピンの合計数Ｋ、クラスター当たりの割り当てられたブロック数Ｎ、クラスターの数Ｎ＿ｃｌ、及びクラスター当たりのブロックの数Ｎ＿ｂｌ／ｃｌに基づいて遂行される、請求項１から９のいずれかに記載の方法。
【請求項１１】
ターミナル装置からのアップリンクシグナリング及びデータ送信をネットワーク要素で受信するための方法において、
サウンディング基準信号を受信するステップと、
同じサブフレーム中にコントロールチャンネル及びデータチャンネルを受信するステップと、
コントロールチャンネル及びデータチャンネルからコントロール情報及びデータを抽出するステップと、
サウンディング基準信号をコントロールチャンネルに対する復調基準信号として使用するステップと、
を備えた方法。
【請求項１２】
コントロールチャンネルは、データ非関連物理的アップリンクコントロールチャンネルであり、データチャンネルは、物理的アップリンク共有チャンネルである、請求項１１に記載の方法。
【請求項１３】
全アップリンク帯域巾は、１００ＭＨｚであり、各々１０ＭＨｚ帯域巾のクラスターが１０個ある、請求項１１に記載の方法。
【請求項１４】
サウンディング基準信号を受信するためにターミナル装置によって複数のクラスターが使用される、請求項１１に記載の方法。
【請求項１５】
複数のクラスターは、周波数的に隣接している、請求項１４に記載の方法。
【請求項１６】
コントロールチャンネル及びデータチャンネルを受信する前記ステップは、
コントロールチャンネル、及びデータチャンネルの第１部分を第１タイムスロットの間に受信し、サウンディング基準信号は、この第１タイムスロットにおいて受信され、
データチャンネルの残り部分を第２タイムスロットの間に受信する、
ことを含む請求項１１から１５のいずれかに記載の方法。
【請求項１７】
送信中に、サウンディング基準信号と、コントロールチャンネルと、復調基準信号と、データチャンネルとの間に時分割多重化及び周波数分割多重化の少なくとも１つを適用すること、
サウンディング基準信号及びコントロールチャンネルに対してクラスター化サブキャリアマッピングを適用すること、
サウンディング基準信号を送信してコントロールチャンネルに対して復調基準信号として機能させること、及び
同じサブフレーム中にコントロールチャンネル及びデータチャンネルを送信すること、を含むアクションを実行するようにプロセッサにより実行可能なコンピュータプログラムで有形にエンコードされたコンピュータ読み取り可能な媒体。
【請求項１８】
コントロールチャンネルは、データ非関連物理的アップリンクコントロールチャンネルであり、データチャンネルは、物理的アップリンク共有チャンネルである、請求項１７に記載のコンピュータ読み取り可能な媒体。
【請求項１９】
サウンディング基準信号を送信するためにターミナル装置によって複数のクラスターが使用される、請求項１７に記載のコンピュータ読み取り可能な媒体。
【請求項２０】
複数のクラスターは、周波数的に隣接している、請求項１９に記載のコンピュータ読み取り可能な媒体。
【請求項２１】
コントロールチャンネル及びデータチャンネルを送信することは、
コントロールチャンネル、及びデータチャンネルの第１部分を第１タイムスロットの間に送信し、サウンディング基準信号は、この第１タイムスロットにおいて送信され、
データチャンネルの残り部分を第２タイムスロットの間に送信する、
ことを含む請求項１７に記載のコンピュータ読み取り可能な媒体。
【請求項２２】
第１プロトコルに関連したデータチャンネルが第２プロトコルに関連したデータチャンネルにオーバーラップする場合に少なくとも２つの記号をパンクチャーすることを更に備えた、請求項１７から２１のいずれかに記載のコンピュータ読み取り可能な媒体。
【請求項２３】
サウンディング基準信号を受信すること、
同じサブフレーム中にコントロールチャンネル及びデータチャンネルを受信すること、  コントロールチャンネル及びデータチャンネルからコントロール情報及びデータを抽出すること、
サウンディング基準信号をコントロールチャンネルに対する復調基準信号として使用すること、
を含むアクションを実行するようにプロセッサにより実行可能なコンピュータプログラムで有形にエンコードされたコンピュータ読み取り可能な媒体。
【請求項２４】
コントロールチャンネルは、データ非関連物理的アップリンクコントロールチャンネルであり、データチャンネルは、物理的アップリンク共有チャンネルである、請求項２３に記載のコンピュータ読み取り可能な媒体。
【請求項２５】
サウンディング基準信号を受信するために複数のクラスターが使用される、請求項２３に記載のコンピュータ読み取り可能な媒体。
【請求項２６】
複数のクラスターは、周波数的に隣接している、請求項２５に記載のコンピュータ読み取り可能な媒体。
【請求項２７】
コントロールチャンネル及びデータチャンネルを受信することは、
コントロールチャンネル、及びデータチャンネルの第１部分を第１タイムスロットの間に受信し、サウンディング基準信号は、この第１タイムスロットにおいて受信され、
データチャンネルの残り部分を第２タイムスロットの間に受信する、
ことを含む請求項２３から２６のいずれかに記載のコンピュータ読み取り可能な媒体。
【請求項２８】
ターミナル装置とネットワーク要素との間でアップリンクシグナリング及びデータ送信を遂行するための装置であって、少なくとも１つのプロセッサと、コンピュータプログラムコードを含む少なくとも１つのメモリとを備え、少なくとも１つのメモリ及びコンピュータプログラムコードは、少なくとも１つのプロセッサと共に、その装置が、少なくとも次のこと、即ち、
送信中に、サウンディング基準信号と、コントロールチャンネルと、復調基準信号と、データチャンネルとの間に時分割多重化及び周波数分割多重化の少なくとも１つを適用すること、
サウンディング基準信号及びコントロールチャンネルに対してクラスター化サブキャリアマッピングを適用すること、
サウンディング基準信号の送信を生じさせてコントロールチャンネルに対して復調基準信号として機能させるための信号を発生すること、及び
同じサブフレーム中にコントロールチャンネル及びデータチャンネルの送信を生じさせるための信号を発生すること、
を遂行するようにさせるよう構成された装置。
【請求項２９】
コントロールチャンネルは、データ非関連物理的アップリンクコントロールチャンネルであり、データチャンネルは、物理的アップリンク共有チャンネルである、請求項２８に記載の装置。
【請求項３０】
サウンディング基準信号を送信するために複数のクラスターが使用される、請求項２８に記載の装置。
【請求項３１】
複数のクラスターは、周波数的に隣接している、請求項３０に記載の装置。
【請求項３２】
コントロールチャンネル及びデータチャンネルを送信することは、
コントロールチャンネル、及びデータチャンネルの第１部分を第１タイムスロットの間に送信し、サウンディング基準信号は、この第１タイムスロットにおいて送信され、
データチャンネルの残り部分を第２タイムスロットの間に送信する、
ことを含む請求項２８に記載の装置。
【請求項３３】
少なくとも１つのメモリ及びコンピュータプログラムコードは、少なくとも１つのプロセッサと共に、その装置が、第１プロトコルに関連したデータチャンネルが第２プロトコルに関連したデータチャンネルにオーバーラップする場合に少なくとも２つの記号をパンクチャーさせるように更に構成された、請求項２８に記載の装置。
【請求項３４】
少なくとも一部分は集積回路において実施される、請求項２８ないし３３のいずれかに記載の装置。
【請求項３５】
ターミナル装置からのアップリンクシグナリング及びデータ送信をネットワーク要素で受信するための装置であって、少なくとも１つのプロセッサと、コンピュータプログラムコードを含む少なくとも１つのメモリとを備え、少なくとも１つのメモリ及びコンピュータプログラムコードは、少なくとも１つのプロセッサと共に、その装置が、少なくとも次のこと、即ち、
サウンディング基準信号の受信を生じさせるための信号を発生すること、
同じサブフレーム中にコントロールチャンネル及びデータチャンネルの受信を生じさせる信号を発生すること、
コントロールチャンネル及びデータチャンネルからコントロール情報及びデータを抽出すること、及び
サウンディング基準信号をコントロールチャンネルに対する復調基準信号として使用すること、
を遂行するようにさせるよう構成された装置。
【請求項３６】
コントロールチャンネルは、データ非関連物理的アップリンクコントロールチャンネルであり、データチャンネルは、物理的アップリンク共有チャンネルである、請求項３５に記載の装置。
【請求項３７】
サウンディング基準信号を受信するために複数のクラスターが使用される、請求項３５に記載の装置。
【請求項３８】
複数のクラスターは、周波数的に隣接している、請求項３７に記載の装置。
【請求項３９】
コントロールチャンネル及びデータチャンネルを受信することは、
コントロールチャンネル、及びデータチャンネルの第１部分を第１タイムスロットの間に受信し、サウンディング基準信号は、この第１タイムスロットにおいて受信され、
データチャンネルの残り部分を第２タイムスロットの間に受信する、
ことを含む請求項３５に記載の装置。
【請求項４０】
少なくとも一部分は集積回路において実施される、請求項３５ないし３９のいずれかに記載の装置。
【請求項４１】
ターミナル装置とネットワーク要素との間でアップリンクシグナリング及びデータ送信を遂行するための装置において、
送信中に、サウンディング基準信号と、コントロールチャンネルと、復調基準信号と、データチャンネルとの間に時分割多重化及び周波数分割多重化の少なくとも１つを適用する手段と、
サウンディング基準信号及びコントロールチャンネルに対してクラスター化サブキャリアマッピングを適用する手段と、
サウンディング基準信号の送信を生じさせてコントロールチャンネルに対して復調基準信号として機能させるための信号を発生する手段と、
同じサブフレーム中に、コントロールチャンネル及びデータチャンネルの送信を生じさせるための信号を発生する手段と、
を備えた装置。
【請求項４２】
コントロールチャンネルは、データ非関連物理的アップリンクコントロールチャンネルであり、データチャンネルは、物理的アップリンク共有チャンネルである、請求項４１に記載の装置。
【請求項４３】
サウンディング基準信号を送信するために複数のクラスターが使用される、請求項４１に記載の装置。
【請求項４４】
複数のクラスターは、周波数的に隣接している、請求項４３に記載の装置。
【請求項４５】
コントロールチャンネル及びデータチャンネルを送信することは、
コントロールチャンネル、及びデータチャンネルの第１部分を第１タイムスロットの間に送信し、サウンディング基準信号は、この第１タイムスロットにおいて送信され、
データチャンネルの残り部分を第２タイムスロットの間に送信する、
ことを含む請求項４１に記載の装置。
【請求項４６】
第１プロトコルに関連したデータチャンネルが第２プロトコルに関連したデータチャンネルにオーバーラップする場合に少なくとも２つの記号をパンクチャーさせる手段を更に備えた、請求項４１ないし４５のいずれかに記載の装置。
【請求項４７】
ターミナル装置からのアップリンクシグナリング及びデータ送信をネットワーク要素で受信するための装置において、
サウンディング基準信号の受信を生じさせるための信号を発生する手段と、
同じサブフレーム中にコントロールチャンネル及びデータチャンネルの受信を生じさせるための信号を発生する手段と、
コントロールチャンネル及びデータチャンネルからコントロール情報及びデータを抽出する手段と、
サウンディング基準信号をコントロールチャンネルのための復調基準信号として使用する手段と、
を備えた装置。
【請求項４８】
コントロールチャンネルは、データ非関連物理的アップリンクコントロールチャンネルであり、データチャンネルは、物理的アップリンク共有チャンネルである、請求項４７に記載の装置。
【請求項４９】
サウンディング基準信号を受信するために複数のクラスターが使用される、請求項４７に記載の装置。
【請求項５０】
複数のクラスターは、周波数的に隣接している、請求項４９に記載の装置。
【請求項５１】
コントロールチャンネル及びデータチャンネルを受信することは、
コントロールチャンネル、及びデータチャンネルの第１部分を第１タイムスロットの間に受信し、サウンディング基準信号は、この第１タイムスロットにおいて受信され、
データチャンネルの残り部分を第２タイムスロットの間に受信する、
ことを含む請求項４７ないし５０のいずれかに記載の装置。
【発明の詳細な説明】
【技術分野】
【０００１】
本発明は、一般的に、ワイヤレス通信システム、方法、装置、及びコンピュータプログラム製品に係り、より詳細には、ターミナル装置とネットワークアクセスノードとの間でアップリンクシグナリング及びデータ送信を遂行するための技術に係る。
【背景技術】
【０００２】
本章は、特許請求の範囲に述べる発明の背景又は状況を示すものである。ここでの説明は、遂行はできるが必ずしも以前に考案され又は遂行されたものではない概念を含むかもしれない。それ故、特に指示のない限り、本章に述べることは、本出願の明細書及び特許請求の範囲に対する従来技術ではなく、且つ本章に含ませることにより従来技術であると認めるものではない。
【０００３】
明細書及び／又は図面に現れる以下の省略形は、次のように定義される。
３ＧＰＰ：第３世代パートナーシッププロジェクト
ＡＣＫ：確認
ＢＳ：ベースステーション
ＢＷ：帯域巾
ＣＤＭ：コード分割多重化
ＣＭ：キュービックメトリック
ＣＱＩ：チャンネルクオリティインジケータ
ＤＦＴ−Ｓ：離散的フーリエ変換同期
ＤＬ：ダウンリンク
ＤＲＳ：復調基準信号（又はＤＭ  ＲＳ）
ＤＲＸ：不連続受信
ＤＴＸ：不連続送信
ｅＮＢ：進化型ノードＢ
ＥＵＴＲＡＮ：進化型ＵＴＲＡＮ
ＦＤＤ：周波数分割デュープレックス
ＦＤＭ：周波数分割多重化
ＦＤＭＡ：周波数分割多重アクセス
ＦＨ：周波数ホッピング
ＨＡＲＱ：ハイブリッド自動リピート要求
ＩＦＤＭＡ：インターリーブ型周波数分割多重アクセス
ＩＴＵ：国際テレコミュニケーションユニオン
ＩＴＵ−Ｒ：ＩＴＵ無線通信セクタ
ＬＡ：ローカルエリア
ＬＴＥ：長期間進化
ＮＡＣＫ：否定ＡＣＫ（又はＮＡＫ）
ノードＢ：ベースステーション
ＯＦＤＭＡ：直交ＦＤＭＡ
ＰＡＲ：ピーク対平均比
ＰＤＣＣＨ：物理的ダウンリンクコントロールチャンネル
ＰＤＳＣＨ：物理的ダウンリンク共有チャンネル
ＰＵＣＣＨ：物理的アップリンクコントロールチャンネル
ＰＵＳＣＨ：物理的アップリンク共有チャンネル
ＱＡＭ：直角振幅変調
ＱＰＳＫ：直角位相シフトキーイング
ＲＡＣＨ：ランダムアクセスチャンネル
ＲＢ：無線帯域
Ｒｅｌ．８：３ＧＰＰリリース８
Ｒｅｌ．９：３ＧＰＰリリース９
ＲＦ：無線周波数
ＲＰＦ：繰り返しファクタ
ＲＲＣ：無線リソースコントロール
ＲＳ：基準信号
ＳＣ：単一キャリア
ＳＩＮＲ：信号・対・干渉＋雑音比
ＳＮＲ：信号・対・雑音比
ＳＲＩ：スケジューリング要求インジケータ
ＳＲＳ：サウンディング基準信号
ＴＤＤ：時分割デュープレックス
ＴＤＭ：時分割多重化
ＴＴＩ：送信時間内部
ＵＥ：ユーザ装置
ＵＬ：アップリンク
ＵＭＴＳ：ユニバーサル移動テレコミュニケーションシステム
ＵｐＰＴＳ：アップリンクパイロットタイムスロット
ＵＴＲＡ：ＵＭＴＳ地上無線アクセス
ＵＴＲＡＮ：ＵＭＴＳ地上無線アクセスネットワーク
ＷＡ：ワイドエリア
【０００４】
進化型ＵＴＲＡＮ（Ｅ−ＵＴＲＡＮ、これは、ＵＴＲＡＮ−ＬＴＥ又はＥ−ＵＴＲＡとしても知られている）として知られている提案された通信システムは、３ＧＰＰ内で現在開発中である。現在指定されているように、ＤＬアクセス技術がＯＦＤＭＡであり、ＵＬアクセス技術がＳＣ−ＦＤＭＡであるというものである。
【０００５】
本発明に関連した問題及び他の問題に対して関心のある１つの仕様は、３ＧＰＰ  ＴＳ  ３６．００、Ｖ８．３．０（２００７−１２）、第三世代パートナーシッププロジェクト；技術仕様グループ無線アクセスネットワーク；進化型ユニバーサル地上無線アクセス（Ｅ−ＵＴＲＡ）及び進化型ユニバーサル地上アクセスネットワーク（Ｅ−ＵＴＲＡＮ）；全体的記述；ステージ２（リリース８）である。
【０００６】
ここで、特に、関心のあるものは、例えば、ＰＵＣＣＨがアップリンクのコントロールチャンネルリソースへとマップされることを述べたサブクローズ５．２．３「物理的アップリンクコントロールチャンネル」である。コントロールチャンネルリソースは、スロット境界に周波数ホッピングを伴い、コードチャンネル及び時間的に連続する２つのリソースブロックにより定義される。アップリンクタイミング同期の有無に基づき、アップリンク物理的コントロールシグナリングは、相違する。時間同期が存在する場合には、コントロールシグナリングは、ＣＱＩ、ＡＣＫ／ＡＮＫ、及びスケジューリング要求インジケータ（ＳＲＩ）より成る。ＣＱＩは、ＵＥから見た現在チャンネル条件についてスケジューラに通知する。複数入力及び複数出力（ＭＩＭＯ）送信が使用される場合には、ＣＱＩは、必要なＭＩＭＯ関連フィードバックを含む。ダウンリンクデータ送信に応答するＨＡＲＱフィードバックは、ＨＡＲＱプロセス当たり単一のＡＣＫ／ＮＡＣＫビットより成る。
ＳＲＩ及びＣＱＩレポーティングのためにＰＵＣＣＨリソースが指定され、これは、ＲＲＣシグナリングを通して呼び出すことができる。ＳＲＩは、ＲＡＣＨを通して同期を取得するＵＥに必ずしも指定されない（即ち、同期されるＵＥは、専用のＳＲＩチャンネルを有してもよいし、そうでなくてもよい）。ＵＥがもはや同期されないときには、ＳＲＩ及びＣＱＩのためのＰＵＣＣＨリソースが失われる。
【０００７】
ＰＵＳＣＨ（セクション５．３）、ＰＵＣＣＨ（セクション５．４）、並びにセクション５．５の基準信号ＤＭ  ＲＳ（ＰＵＳＣＨ又はＰＵＣＣＨの送信に関連した）及びＳＲＳ（ＰＵＳＣＨ又はＰＵＣＣＨの送信に関連しない）を含めて、ＵＬ物理的チャンネルのセクション５の説明については、３ＧＰＰ  ＴＲ  ３６．２１１、Ｖ１．０．０（２００７−０３）、第３世代パートナーシッププロジェクト；技術的仕様グループ無線アクセスネットワーク；物理的チャンネル及び変調（リリース８）を参照することができる。
【０００８】
Ｒｅｌ．８（ＬＴＥ）システムに対する改良が最近提案され、それは、Ｒｅｌ．９又はＬＴＥ−アドバンスト（ＬＴＥ−Ａ）と称される。ＬＴＥ及びそれ以降のリリースの後方互換性が強調されている。ＬＴＥ  Ｒｅｌ．８ターミナルは、ＬＴＥ−Ａシステムにおいて動作できねばならないと判断されている。更に、ＬＴＥ−Ａターミナルは、ＬＴＥ  Ｒｅｌ．８システムにおいて動作できねばならないことも判断されている。ＬＴＥ−Ａシステムは、例えば、５つのチャンネル結合２０ＭＨｚキャリアで構成された著しく広い帯域巾（例えば、１００ＭＨｚ）を与えることができる。
【０００９】
ＬＴＥ−Ａに関する参照が、３ＧＰＰ  ＴＳＧ  ＲＡＮ  ＷＧ１ミーティング＃５３、カンザスシティ、ＵＳＡ、２００８年５月５−９日、Ｒ１−０８１９４８、“Proposals for LTE-Advanced Technologies”、ＮＴＴ  ＤｏＣｏＭｏ社、についてなされる。
【００１０】
又、３ＧＰＰ  ＴＲ  ３６．９１３、Ｖ０．０．６（２００８−０５）、第３世代パートナーシッププロジェクト；技術的仕様グループ無線アクセスネットワーク；Ｅ−ＵＴＲＡのための更なる進歩の要件（ＬＴＥ−アドバンスト）（リリースＸ）を参照することもできる。
【００１１】
高いデータレート及び低いコストの新規なサービスを提供するためにローカルエリア（ＬＡ）アクセス解決策用の３ＧＰＰ無線アクセス技術を拡張し最適化することに益々焦点が当てられている。
【００１２】
対処すべき１つの問題は、ＵＬコントロールチャンネル設計にある関係を有するＲｅｌ．８（ＦＤＤ／ＴＤＤ）とＬＴＥ−Ａ仮定との間に相違があるために、ＬＴＥ−Ａ  ＦＤＤ／ＴＤＤシステムにおいてＵＬコントロールチャンネル送信をどのようにして最良に構成し／最適化するかである。
【００１３】
ＩＦＤＭＡをサウンディング基準信号と合成することが、Ｒ１−０５０８１６、“Frequency-domain scheduling with SC-FDMA in UL”、３ＧＰＰ  ＴＳＧ−ＲＡＮミーティング、＃４２、英国ロンドン、２００５年８月２９日ないし９月２日、ノキア、に提示されている。
【００１４】
Ｒ１−０６１８６２、“Uplink Non-data-associated Control Signaling”、ＴＳＧ−ＲＡＮ  ＷＧ１  ＬＴＥ  ＡｄＨｏｃ、フランスカンヌ、２００６年６月２７−３０日、エリクソンにも関心がある。図１は、Ｒ１−０６１８６２の図２−１を再現したもので、分散され及び局所化された送信が１つのＵＬ  ＴＴＩ内でどのように時間マルチプレクスされるかの原理を示している。分散された部分は、ＴＴＩの開始に送信され、少なくとも１つのパイロットブロックを含む。アップリンクフレーム構造における第１の長いブロックは、２つの短いブロックに分割される。第１の短いブロックは、ＡＣＫ／ＮＡＣＫ送信に使用され、ここで、異なるＵＥは、異なる「コーム(comb)」を使用することにより周波数ドメインにおいて分離される。どの「コーム」を使用するかは、ダウンリンクスケジューリング指定により与えられる。第２の短いブロックは、ＡＣＫ／ＮＡＣＫのコヒレントな復調及びチャンネルサウンディングのための基準信号に使用される。
【発明の概要】
【発明が解決しようとする課題】
【００１５】
これまで充分に対処されていない問題は、Ｒｅｌ．８でのＬＴＥ−Ａの後方互換性の問題に関するもので、即ちＬＴＥターミナルが同じ物理的リソースで動作する状態で後方互換性を維持できるようにコントロールチャンネル送信をどのように最適化するかに関するものである。
【課題を解決するための手段】
【００１６】
以下の概要は、単なる例示に過ぎず、これに限定されない。
上述した問題及び他の問題は、本発明の規範的実施形態により克服され、且つ他の効果も、それにより実現される。
【００１７】
本発明の規範的実施形態は、その第１の態様において、ターミナル装置とネットワーク要素との間でアップリンクシグナリング及びデータ送信を遂行するための方法を提供する。この方法は、送信中に、サウンディング基準信号と、コントロールチャンネルと、復調基準信号と、データチャンネルとの間に時分割多重化及び周波数分割多重化の少なくとも１つを適用することを含む。又、この方法は、サウンディング基準信号及びコントロールチャンネルに対してクラスター化サブキャリアマッピングを適用することも含む。又、この方法には、サウンディング基準信号を送信してコントロールチャンネルに対して復調基準信号として機能させることが含まれる。又、この方法は、同じサブフレーム中に、コントロールチャンネル及びデータチャンネルを送信することも含む。
【００１８】
本発明の規範的実施形態は、その更に別の態様において、ターミナル装置からのアップリンクシグナリング及びデータ送信をネットワーク要素で受信するための方法を提供する。この方法は、サウンディング基準信号を受信すること、及び同じサブフレーム中にコントロールチャンネル及びデータチャンネルを受信することを含む。又、この方法は、コントロールチャンネル及びデータチャンネルからコントロール情報及びデータを抽出することも含む。又、この方法には、サウンディング基準信号をコントロールチャンネルのための復調基準信号として使用することも含まれる。
【００１９】
本発明の規範的な実施形態は、その別の態様において、ターミナル装置とネットワーク要素との間でアップリンクシグナリング及びデータ送信を遂行するアクションを実行するようにプロセッサにより実行可能なコンピュータプログラムで有形にエンコードされたコンピュータ読み取り可能な媒体を提供する。そのアクションは、送信中に、サウンディング基準信号と、コントロールチャンネルと、復調基準信号と、データチャンネルとの間に時分割多重化及び周波数分割多重化の少なくとも１つを適用することを含む。又、この方法には、サウンディング基準信号及びコントロールチャンネルに対してクラスター化サブキャリアマッピングを適用することも含まれる。又、この方法は、サウンディング基準信号を送信してコントロールチャンネルに対して復調基準信号として機能させること、及び同じサブフレーム中に、コントロールチャンネル及びデータチャンネルを送信することも含む。
【００２０】
本発明の規範的実施形態は、その更に別の態様において、ターミナル装置からのアップリンクシグナリング及びデータ送信をネットワーク要素で受信するためのアクションを遂行するようにプロセッサにより実行可能なコンピュータプログラムで有形にエンコードされたコンピュータ読み取り可能な媒体を提供する。そのアクションは、サウンディング基準信号を受信すること、及び同じサブフレーム中にコントロールチャンネル及びデータチャンネルを受信することを含む。又、この方法には、コントロールチャンネル及びデータチャンネルからコントロール情報及びデータを抽出することも含まれる。又、この方法は、サウンディング基準信号をコントロールチャンネルのための復調基準信号として使用することも含む。
【００２１】
本発明の規範的実施形態は、その別の態様において、ターミナル装置とネットワーク要素との間でアップリンクシグナリング及びデータ送信を遂行するための装置を提供する。
この装置は、少なくとも１つのプロセッサと、コンピュータプログラムコードを含む少なくとも１つのメモリとを備えている。少なくとも１つのメモリ及びコンピュータプログラムコードは、少なくとも１つのプロセッサと共に、その装置が、少なくとも次のこと、即ち、送信中に、サウンディング基準信号と、コントロールチャンネルと、復調基準信号と、データチャンネルとの間に時分割多重化及び周波数分割多重化の少なくとも１つを適用すること、サウンディング基準信号及びコントロールチャンネルに対してクラスター化サブキャリアマッピングを適用すること、サウンディング基準信号の送信を生じさせてコントロールチャンネルに対して復調基準信号として機能させるための信号を発生すること、同じサブフレーム中にコントロールチャンネル及びデータチャンネルの送信を生じさせるための信号を発生すること、を遂行するようにさせるよう構成される。
【００２２】
本発明の規範的実施形態は、その更に別の態様において、ターミナル装置からのアップリンクシグナリング及びデータ送信をネットワーク要素で受信するための装置を提供する。この装置は、少なくとも１つのプロセッサと、コンピュータプログラムコードを含む少なくとも１つのメモリとを備え、少なくとも１つのメモリ及びコンピュータプログラムコードは、少なくとも１つのプロセッサと共に、その装置が、少なくとも次のこと、即ち、サウンディング基準信号の受信を生じさせるための信号を発生すること、同じサブフレーム中にコントロールチャンネル及びデータチャンネルの受信を生じさせる信号を発生すること、コントロールチャンネル及びデータチャンネルからコントロール情報及びデータを抽出すること、及びサウンディング基準信号をコントロールチャンネルのための復調基準信号として使用すること、を遂行するようにさせるよう構成される。
【００２３】
本発明の規範的実施形態は、その別の態様において、ターミナル装置とネットワーク要素との間でアップリンクシグナリング及びデータ送信を遂行するための装置を提供する。
この装置は、送信中に、サウンディング基準信号と、コントロールチャンネルと、復調基準信号と、データチャンネルとの間に時分割多重化及び周波数分割多重化の少なくとも１つを適用する手段を備えている。又、サウンディング基準信号及びコントロールチャンネルに対してクラスター化サブキャリアマッピングを適用する手段も備えている。又、この装置は、サウンディング基準信号の送信を生じさせてコントロールチャンネルに対して復調基準信号として機能させるための信号を発生する手段も備えている。又、同じサブフレーム中に、コントロールチャンネル及びデータチャンネルの送信を生じさせるための信号を発生する手段も備えている。
【００２４】
本発明の規範的実施形態は、その更に別の態様において、ターミナル装置からのアップリンクシグナリング及びデータ送信をネットワーク要素で受信するための装置を提供する。この装置は、サウンディング基準信号の受信を生じさせるための信号を発生する手段を備えている。同じサブフレーム中にコントロールチャンネル及びデータチャンネルの受信を生じさせるための信号を発生する手段も備えている。又、この装置は、コントロールチャンネル及びデータチャンネルからコントロール情報及びデータを抽出する手段も備えている。又、サウンディング基準信号をコントロールチャンネルのための復調基準信号として使用する手段も備えている。
【００２５】
本発明の規範的実施形態の前記及び他の態様は、添付図面を参照して以下の詳細な説明を読んだときに明らかとなろう。
【図面の簡単な説明】
【００２６】
【図１】Ｒ１−０６１８６２の図２−１を再現するものであって、スロットフォーマットを示す。
【図２】ＳＲＳ、コントロール信号（ＰＵＣＣＨ）、ＤＭ  ＲＳ及びデータ（ＰＵＳＣＨ）を送信するのに使用される本発明の後方非互換性実施形態に使用するよう編成された時間／周波数リソースを示す。
【図３】ＳＲＳ、コントロール信号（ＰＵＣＣＨ）、ＤＭ  ＲＳ及びデータ（ＰＵＳＣＨ）を送信するのに使用される本発明の第１の後方互換性実施形態に使用するよう編成された時間／周波数リソースを示す。
【図４】ＳＲＳ、コントロール信号（ＰＵＣＣＨ）、ＤＭ  ＲＳ及びデータ（ＰＵＳＣＨ）を送信するのに使用される本発明の第２の後方互換性実施形態に使用するよう編成された時間／周波数リソースを示す。
【図５】有効クラスターの数を二倍にするスロットベース周波数ホッピングを含むように変更された図４の第２の後方互換性実施形態を示す。
【図６】クラスター化サブキャリアマッピングの原理を示す。
【図７】リソースインデックシングの非限定例である。
【図８】種々の変調形式及びレート（ＱＰＳＫ  １／３、ＱＰＳＫ  １／２、１６ＱＡＭ  １／２）に対するコントロールチャンネルのためのブロック当たりの使用可能なビット数の一例を示すテーブルである。
【図９】本発明の規範的実施形態の具現化に使用するのに適した種々の電子装置の簡単なブロック図である。
【図１０Ａ】２つのクラスターを伴うクラスター化サブキャリア送信の特殊なケースを示す。
【図１０Ｂ】２つのクラスターを伴うクラスター化サブキャリア送信の特殊なケースを示す。
【図１１】本発明の規範的な実施形態による方法の動作を示す論理フローチャートである。
【図１２】本発明の規範的な実施形態による別の方法の動作を示す論理フローチャートである。
【発明を実施するための形態】
【００２７】
本発明の規範的な実施形態は、ＩＭＴアドバンストのためのＩＴＵ−Ｒ要件を満足するＬＡ最適化無線システムのようなＬＴＥ−Ａシステムに少なくとも一部分関連している。
このようなシステムの態様は、非対スペクトルのＴＤＤモードを包含できるというものである。又、ワイドエリア（ＷＡ）及びＦＤＤ動作態様も包含するようにＬＴＥ−Ａが進化することにも注意されたい。
【００２８】
規範的な実施形態は、サウンディング基準信号、データ非関連コントロールチャンネル（周波数ダイバーシティ送信）及びＵＬ共有データチャンネルのための多重化構成を提供する。これら規範的実施形態の使用から利益を得るシステムの一形式は、融通性のある広いＲＦ帯域巾（例えば、１００ＭＨｚまで）をもつノマディック(nomadic)／ＬＡ最適化ＵＬを示すものである。
【００２９】
発生する問題は、ＬＴＥ  Ｒｅｌ．８に比してＬＴＥ−Ａに必要な後方互換性の程度である。ＬＴＥ−Ａに関連した１つの合理的仮定は、ＵＥが２０ＭＨｚの最小能力を有することである。別の合理的仮定は、後方互換性のある無線構成体がＮｘ２０ＭＨｚの周波数チャンクを含み、それらが一緒になって１００ＭＨｚのシステム帯域巾（Ｎ＝１、２、３、４、５）を作り上げることである。
【００３０】
ＬＴＥ−Ａ要件は、ＬＴＥ  Ｒｅｌ．８  ＴＤＤ／ＦＤＤの場合とはかなり異なることに注意されたい。１つの顕著な相違は、コントロールビットの最大数がＬＴＥ−Ａにおいて著しく大きくなることである。又、ＬＴＥ−Ａ  ＬＡにおける展開のシナリオは、ＬＴＥにおいて仮定されるマクロセル解決策とはかなり異なることにも注意されたい。ＬＡ環境の１つの結果として、コントロールシグナリングに関連したカバレージの問題があってはならない。
【００３１】
要件の観点から、（ＤＬ）ＡＣＫ／ＮＡＣＫ及びＣＱＩのようなＵＬデータ非関連コントロールシグナリングに対して充分な周波数ダイバーシティが必要とされる。これは、コントロールシグナリングが時間に厳密なもので、ＨＡＲＱの使用から利益を得るためである。ＴＤＤの観点から、ＵＥは、（相互利益のために）ＵＬチャンネルの高速フェージング特性を完全に知っているが、ＵＬにおける瞬時干渉状況は知らない（ＬＡは、干渉が強く制限されることに注意されたい）。更に、ｅＮｏｄｅＢがＵＬコントロールチャンネルのためのリソース割り当てを担当すると仮定することができる。その結果、ＵＥは、ＵＬコントロールシグナリングにおけるチャンネル知識から利益を得、これは、周波数ダイバーシティ送信を使用しなければならないことを意味する。
【００３２】
ＬＴＥベースラインコンフィギュレーション／パラメータは、次のものを含む。ＬＴＥ  ＴＤＤにおけるＵＬコントロールシグナリングは、マクロセルラー環境（即ち、カバレージが限定されたケース）について最適化され、２つのクラスに分割されている。
１．ＵＬデータが存在しないときのコントロールシグナリング：ＰＵＣＣＨが使用される（ＰＵＣＣＨリソースブロック内のＵＥ間のＣＤＭ、ＰＵＣＣＨリソースブロック外のＵＥ間のＦＤＭ）；及び
２．ＵＬデータが存在するときのコントロールシグナリング：ＰＵＳＣＨが使用される（コントロールとデータとの間のＴＤＭ）。
【００３３】
ＰＵＣＣＨ及びＰＵＳＣＨの同時送信は、サポートされない。ＰＵＣＣＨにおけるコントロールシグナリングは、１８０ｋＨｚの帯域巾を使用するシーケンス変調に基づく。更に、充分な周波数ダイバーシティを得るために、スロットベースの周波数ホッピング技術が常に適用される。更に、ＬＴＥでは、ＵＬサウンディング及びＵＬコントロールシグナリングが完全にデカップルされる。
【００３４】
ＬＴＥ解決策がＬＴＥ−Ａシステムに適用された場合には、少なくとも幾つかの問題が生じる。一般的に、ＵＬコントロールチャンネル構成に関しては、ＬＴＥ解決策は、ＬＡ環境において最適な解決策ではない。より詳細には、ＬＡ最適化システムでは、ＵＬデータを伴うコントロールシグナリング及びＬＴＥの場合のようにＵＬデータを伴わないコントロールシグナリングに対して個別のリソースをもつカバレージ上の理由がない。更に、全ＴＴＩに及ぶＰＵＣＣＨ送信は、ＵＥ電力消費の観点から最適化することができない（カバレージが問題とならない場合）。一般に、データとコントロールとの間のＴＤＭは、ＤＴＸ手順と共に良好に使用される。更に、ＬＴＥに使用されるシーケンス変調は、サブフレーム当たり最大２０の非コードビットを与える。（２つのコードチャンネルを有するマルチコードでは４０ビット）。これは、特に、約１００−２００個までのコードコントロールビットが必要とされるＴＤＤモードにおいて、ＬＴＥ−Ａ要件と比較したときに、明らかに充分ではない。更に、これに関しては、マルチコード（これは、ＣＭを増加させる）を使用せずに、シーケンス変調を使用したときに、ＰＵＣＣＨ帯域巾を増加しても、ペイロードのサイズは増加しないことに注意されたい。更に、オーバーヘッドの観点から、コントロールチャンネル及びＵＬサウンディング基準信号に対して個別のＲＳリソースを提供することは効率的ではない。更に、ＬＡ環境において著しく高いＳＩＮＲに関する動作点には更に別の問題が関連している。周波数ダイバーシティ送信（即ち、チャンネル推定エラーとクラスターの数との間の妥協）を最適化するときには、増加されたＳＩＮＲが、増加されたクラスター数へと変換される（スロットベースのＦＨは、２つのクラスターしか使用しない）。
【００３５】
上述したように、これまで充分に対処されていない問題は、Ｒｅｌ．８でのＬＴＥ−Ａの後方互換性の問題に関するもので、即ち同じ物理的リソースで動作するＬＴＥターミナルとの後方互換性を維持できるようにコントロールチャンネル送信をどのように最適化するかである。
【００３６】
本発明の規範的実施形態を詳細に説明する前に、本発明の規範的実施形態の具現化に使用するのに適した種々の電子装置の簡単なブロック図である図９を説明する。図９において、ワイヤレスネットワーク１は、ここでは便宜上ノードＢ（ベースステーション）とも称されるネットワークアクセスノード１２、より詳細には、ｅＮＢ１２のような別の装置を経て、ここでは便宜上ＵＥ１０とも称される装置１０と通信するようにされる。ＵＥ１０は、データプロセッサ（ＤＰ）１０Ａと、プログラム（ＰＲＯＧ）１０Ｃを記憶するメモリ（ＭＥＭ）１０Ｂと、ｅＮＢ１２と両方向ワイヤレス通信する適当な高周波（ＲＦ）トランシーバ１０Ｄとを備え、ｅＮＢ１２も、ＤＰ１２Ａと、ＰＲＯＧ１２Ｃを記憶するＭＥＭ１２Ｂと、適当なＲＦトランシーバ１２Ｄとを備えている。ＰＲＯＧ１０Ｃ及び１２Ｃの少なくとも１つは、関連ＤＰにより実行されたときに、電子装置が、以下に詳細に述べる本発明の規範的実施形態に基づいて動作できるようにするプログラムインストラクションを含むものと仮定する。
【００３７】
即ち、本発明の規範的実施形態は、ＵＥ１０のＤＰ１０Ａ及びｅＮＢ１２のＤＰ１２Ａにより実行可能なコンピュータソフトウェアにより、又はハードウェアにより、或いはソフトウェア及びハードウェアの組み合わせにより少なくとも一部分具現化することができる。
【００３８】
典型的に、ｅＮＢ１２によってサービスされる複数のＵＥ１０がある。ｅＮＢ１２は、同一の構成であってもなくてもよいが、一般的には、全て、ワイヤレスネットワーク１で動作するのに必要な当該ネットワークプロトコル及び規格に電気的及び論理的に適合できると仮定する。所与の例では、これらＵＥ１０の幾つかがＲｅｌ．８のＵＥであり、又、幾つかがＬＴＥ−ＡのＵＥであり、又、幾つかが、Ｒｅｌ．８のＵＥとしても動作できるＬＴＥ−ＡのＵＥである。
【００３９】
ＵＥ１０の種々の実施形態は、セルラー電話、ワイヤレス通信能力を有するパーソナルデジタルアシスタント（ＰＤＡ）、ワイヤレス通信能力を有するポータブルコンピュータ、ワイヤレス通信能力を有するデジタルカメラのような映像捕獲装置、ワイヤレス通信能力を有するゲーム装置、ワイヤレス通信能力を有する音楽記憶・再生機器、ワイヤレスインターネットアクセス及びブラウジングを行えるインターネット機器、並びにこのようなファンクションの組み合わせを組み込んだポータブルユニット又はターミナルを含むが、これらに限定されない。
【００４０】
ＭＥＭ１０Ｂ、１２Ｂは、ローカル技術環境に適した任意の形式のもので、半導体ベースのメモリ装置、フラッシュメモリ、磁気メモリ装置及びシステム、光学メモリ装置及びシステム、固定メモリ、及び取り外し可能なメモリのような適当なデータ記憶技術を使用して具現化することができる。ＤＰ１０Ａ、１２Ａは、ローカル技術環境に適した任意の形式のもので、汎用コンピュータ、特殊目的コンピュータ、マイクロプロセッサ、デジタル信号プロセッサ（ＤＳＰ）、及びマルチコアプロセッサアーキテクチャーをベースとするプロセッサの１つ以上を含むが、これらに限定されない。
【００４１】
本発明の規範的実施形態は、その１つの態様において、サウンディング基準信号（ＳＲＳ）送信をコントロールチャンネル送信と結合し、その両方がクラスター化サブキャリアマッピングを有する。ＳＲＳ及びコントロールチャンネルは、（充分に）オーバーラップする周波数割り当てを占有し、ＳＲＳからコントロールチャンネルのチャンネル推定を実行できるようにする。これらの規範的実施形態に基づく送信スキームは、ＤＦＴ−Ｓ−ＯＦＤＭ（Ｒｅｌ．８のＬＴＥに使用される）及びＯＦＤＭＡベースの変調スキームの両方に適用できる。
【００４２】
ここでコントロールチャンネルに言及するときは、コントロールチャンネル及び周波数ダイバーシティ送信の両方の使用を意味することに注意されたい。周波数ダイバーシティ送信は、持続的又は半持続的にスケジュールされたＰＵＳＣＨのために、ＰＵＣＣＨのコントロールシグナリングに加えて使用される。これは、動的にスケジュールされる周波数適応送信のための相補的送信スキームと考えることができる。
【００４３】
種々の規範的実施形態により使用される解決策では、周波数ドメインに周波数ピン（サブキャリア）のＮ＿ｃｌ個のクラスターがある。これらクラスターは、等間隔にされてもされなくてもよい。クラスターの数は、次のものを考慮して決定される。
チャンネル推定エラーと周波数ダイバーシティの程度との間の妥協；
ＣＭプロパティ（ＳＣ−ＦＤＭＡ：ＣＭは、クラスターの数と共に増加する）、但し、ＣＭの意味で、ＩＦＤＭＡは、単一のクラスター送信に対応する；及び
後方互換性の問題（Ｍｘ２０ＭＨｚ割り当ての使用は、２０ＭＨｚキャリア間にガード帯域を有する）。後方互換性の理由で、クラスターサイズは、ＬＴＥシステムにおけるリソースブロックサイズである１２周波数ピンの倍数であると仮定する。他の具現化では、クラスターサイズは、異なるものでよい。
【００４４】
Ｎ＿ｃｌ個のクラスターという送信帯域巾は、所与のリソース内のＣＤＭ（／ＦＤＭ／ＴＤＭ）を使用して並列なチャンネルへと更に分割することができる。
【００４５】
規範的な実施形態は、後方互換性解決策と後方非互換性解決策とに分割される。
【００４６】
最初に、（単一のＵＥ１０に対する送信帯域巾が示された）図２を参照して、後方非互換性解決策を説明する。この実施形態は、次のように特徴付けられる。
ＳＲＳと、データ非関連コントロールチャンネル（ＰＵＣＣＨ）と、復調基準信号（ＤＭ  ＲＳ）と、共有データチャンネル（ＰＵＳＣＨ）との間にＴＤＭが適用される；
クラスター化サブキャリアマッピングがサウンディング基準信号及びコントロールチャンネル（ＰＵＣＣＨ）に対して適用され、ここで、クラスターの数は、１０に等しい（非限定例）；ＳＲＳは、コントロールチャンネル（ＰＵＣＣＨ）のためのＤＭ  ＲＳとして機能する；
ＰＵＣＣＨ及びＰＵＳＣＨは、同じサブフレーム中に送信される（即ち、ＵＬデータと共に又はそれを伴わずに送信されるコントロール信号に対して個別のコントロールリソースは必要とされない）；及び
ＵＥ１０は、送信されるべきコントロール信号をもたない場合には、コントロールリソースに対する共有データを送信する。
【００４７】
この実施形態では、ＴＤＭの使用は、カバレージが干渉により制限されるので、ＬＡにカバレージの問題を引き起こすことはなく（付加的な処理利得を使用して所与のターゲットクオリティを満足することができ）、更に、それは、ＤＴＸ／ＤＲＸの観点から有益であることに注意されたい。更に、この技術の使用は、データ及びコントロールの両方に対して低ＰＡＲ送信を可能にする。サウンディング（ＳＲＳ）は、コントロールチャンネル送信と合成されるので、ＳＲＳ送信は、コントロール信号（ＰＵＣＣＨ）に対するＤＭ  ＲＳと同様に機能する。又、この解決策は、ＵＥ１０間にＩＦＤＭＡ／クラスター化（０）ＦＤＭＡも与える。
【００４８】
以下、図３ないし８を参照して幾つかの後方互換性実施形態を説明する。
【００４９】
実施形態Ａ
第１の後方互換性実施形態が、図３に示されており、これは、ＬＴＥ−Ａ及びＬＴＥ  Ｒｅｌ．８の両オペレーションに対して次のように特徴付けられる。
【００５０】
ＬＴＥ−Ａオペレーション：
１つのＵＥ１０内で、ＳＲＳと、データ非関連コントロールチャンネル（ＰＵＣＣＨ）と、復調基準信号（ＤＭ  ＲＳ）と、共有データチャンネル（ＰＵＳＣＨ）との間にＴＤＭが使用される；
クラスターの数は、周波数チャンクの数に等しい（例えば、図３において各々２０ＭＨｚの５個のチャンク）；及び
ＰＵＣＣＨ及びＰＵＳＣＨは、同じサブフレーム中に送信することができる（即ち、ＵＬデータと共に及びそれを伴わずに送信されるコントロール信号に対して個別のコントロールリソースはない）。
【００５１】
Ｒｅｌ．８オペレーション
Ｒｅｌ．８  ＵＥ１０は、Ｒｅｌ．８  ＰＵＳＣＨがＬＴＥ−Ａ  ＰＵＣＣＨにオーバーラップする場合に２つの記号をパンクチャーするが、オーバーラップは、（ノードＢ  １２）スケジューラ制限を使用することにより回避できる；及び
ＳＲＳ記号及び特殊なＴＤＤブロックは、レガシーインパクトを最小にするためにＬＴＥ−Ａ  ＰＵＣＣＨに対して使用される。より詳細には、特殊なＴＤＤブロックは、３ＧＰＰ  ＴＳ  ３６．２１１、セクション４．２に述べられたフレーム構造形式２に関連する（３ＧＰＰ  ＴＲ  ３６．２１１、Ｖ１．０．０を参照）。ＵｐＰＴＳは、ＵＬ送信に対して予約され、ＳＲＳ送信に使用することができる。レガシーインパクトは、ＰＵＣＣＨがＵｐＰＴＳを使用して送信される一方、ＳＲＳブロックがオリジナルのＳＲＳリソースを利用するようにして、最小にすることができる。
【００５２】
実施形態Ｂ
第２の後方互換性実施形態が図４に示されている。
【００５３】
ＬＴＥ−Ａオペレーション：
１つのＵＥ１０内でＰＵＳＣＨとＰＵＣＣＨとの間にＦＤＭが使用される；
ＰＵＣＣＨにはクラスター化サブキャリアマッピングが使用される。クラスターサイズは、ＬＴＥ  Ｒｅｌ．８リソースブロックサイズの倍数である。適用されるクラスターは、ＲＲＣシグナリングを経て明確に構成することができる。一実施形態では、クラスターの数は、周波数チャンクの数に等しい（例えば、図４において巾が各々２０ＭＨｚの５つのチャンク）；及び
ＳＲＳ／ＰＵＣＣＨ  ＤＭ  ＲＳとコントロールチャンネル（ＰＵＣＣＨ）との間にＴＤＭが適用され、所与のクラスター内では異なるＵＥ１０間にＣＤＭ／ＴＤＭが適用される。
【００５４】
（Ｒｅｌ．８  ＰＵＣＣＨに使用されたものと同様の）ＬＴＥ−Ａ  ＰＵＣＣＨにもスロットベースの周波数ホッピング（ＦＨ）を適用できることに注意されたい。ＦＨの使用は、図５に示すように、クラスターの有効数を倍増する（この例では、５から１０へ）。
【００５５】
クラスター化サブキャリア送信に関する１つの特殊なケースは、図１０に示すように、２つのクラスターしかもたないことである。図１０は、ＰＤＣＣＨを送信するのに使用される一次チャンクが定義されていると仮定している。ノードＢ１２は、一次ＰＤＣＣＨを使用してＰＤＳＣＨ／ＰＵＳＣＨを任意のチャンクへとスケジュールすることができる。
その１つの利益は、ＵＥ１０が一次チャンクからのＰＤＣＣＨだけを聴取すればよいことである。ＬＴＥ−Ａ  ＰＵＣＣＨの観点から、２つのクラスターを構成する仕方が２つあり、その１つが図１０Ａに示され、別の１つが図１０Ｂに示されている。
【００５６】
図１０Ａは、一次ＰＤＣＣＨチャンクに加えて、「一次ＰＵＣＣＨチャンク」があると仮定している。一次ＰＵＣＣＨの帯域巾は、ＵＬチャンクの帯域巾（この例では２０ＭＨｚ）に対応する。２つのクラスターは、チャンク帯域巾に対して対称的に配置することができる。図１０Ａに示す２つのクラスターは、（１）スロットベースの周波数ホッピングを使用する単一クラスター送信、又は（２）スロットベースの周波数ホッピングをもたない二重クラスター送信、に使用することができる。
【００５７】
図１０Ａの解決策の規範的な利益は、クラスターコンフィギュレーションをＲｅｌ．８ＰＵＣＣＨに完全に適合させられることである。更に、現在の仮定（全てのＬＴＥ−Ａ  ＵＥが２０ＭＨｚチャンクをサポートする）では、異なるＬＴＥ−Ａ  ＵＥカテゴリーで問題がない。更に、動的なＡＣＫ／ＮＡＣＫリソースの暗示的マッピングは、一次的チャンクのＬＴＥ−Ａ  ＰＤＣＣＨをベースとするもので、Ｒｅｌ．８  ＰＵＣＣＨに完全に適合する。この構成の更に別の利益は、ＬＴＥ−Ａ及びＬＴＥ  Ｒｅｌ．８が同じＰＵＣＣＨリソースに共存できることである。図１０Ａの解決策で生じる唯一の事柄は、周波数ダイバーシティの程度が最適化されないことである。
【００５８】
図１０Ｂの解決策は、周波数ダイバーシティを最適化する。後方互換性は、ＬＴＥ−ＡＰＵＣＣＨとＬＴＥ  Ｒｅｌ．８  ＰＵＣＣＨとの間にＦＤＭ分離が存在するように構成することができる。これは、第１の利用できるＰＵＣＣＨ  ＲＢのためのインデックスが上位層を経てＬＴＥ−Ａ  ＵＥ１０へシグナリングされるように実現することができる。
この情報は、使用するクラスターごとに別々に必要とされる。又、ＬＴＥ−Ａの異なるＵＥ帯域巾カテゴリー（１００ＭＨｚ、４０ＭＨｚ、等）は、図１０Ｂの解決策にそれら自身のＰＵＣＣＨリソース及びＰＵＣＣＨ  ＲＢシグナリングを要求する。動的にスケジュールされるＤＬデータの暗示的ＡＣＫ／ＮＡＣＫリソースについても同じことが言える。
これらの事柄のために、この解決策の使用は、ＣＱＩ及び持続的ＰＵＳＣＨのような持続型のシグナリングケースに対して最も有益である。
【００５９】
二重クラスター送信解決策では、ＬＴＥ  Ｒｅｌ．８  ＰＵＣＣＨの観点からの最小の変化は、２つのクラスターをＵＬシステム／送信帯域巾に対して（ほぼ）対称的に配置することである。Ｒｅｌ．８  ＰＵＣＣＨの異なる負荷のために、２つのクラスターを中心周波数に対して完全に対称的に配置することは、常時可能ではないことに注意されたい。
唯一の変化は、スロットベースの周波数ホッピングを二重クラスター送信に置き換えることを含む。更に別の実施形態では、２つのクラスターは、（ＬＴＥ  Ｒｅｌ．８と同様に）周波数チャンクに対して対称的に配置される。
【００６０】
若干の周波数クラスター（例えば、２つのクラスター）しかない場合には、ＰＵＣＣＨのＤＭ  ＲＳのチャンネルサウンディング能力が充分でないことに注意されたい。これらのケースでは、付加的なサウンディング基準信号を使用することもできる。
【００６１】
特に、ＰＵＳＣＨとＰＵＣＣＨとの間の分割に関しては、少なくとも２つのオプションが利用できる。
ＰＵＳＣＨ及びＰＵＣＣＨの同時送信がサポートされ（ＰＵＳＣＨには個別のコントロールリソースがない）、これは、ＯＦＤＭに有利である；又は
ＰＵＳＣＨ及びＰＵＣＣＨの同時送信がサポートされず（Ｒｅｌ．８と同様に、ＰＵＳＣＨに個別のコントロールリソースが必要となる）、これは、ＳＣ−ＦＤＭＡに有利である。
【００６２】
Ｒｅｌ．８については、Ｒｅｌ．８  ＵＥ１０のための付加的な要求が必要でない。
【００６３】
先の実施形態は、ＰＵＣＣＨのみについて述べたが、同じ原理を、持続的又は半持続的ＰＵＳＣＨにも適用できることに注意されたい。
【００６４】
以下、クラスター化サブキャリアマッピングの態様を説明する。１つの態様は、クラスター構成に対して所定のルールをもたないことである。このケースでは、適用されるクラスターは、先に述べたように、明確にシグナリングされる。別の選択肢は、クラスター構成に対して所定のルールをもつことである。これに関して、サブキャリアマッピングを次のように定義することができる（図６に示す例も参照されたい）。
Ｋ＿ｔｏｔ：利用可能な周波数ピンの合計数
Ｋ＿ｂｌ：ブロック当たりの利用可能な周波数ピンの数
Ｋ：割り当てられた周波数ピンの合計数
Ｎ＿ｃｌ：クラスターの数
Ｎ＿ｂｌ／ｃｌ：クラスター当たりのブロックの数
Ｎ：（周波数的に隣接する）クラスター当たりの割り当てられたブロックの数
【００６５】
図６は、クラスター化サブキャリアマッピングの基礎的な原理を示す。利用可能なスペクトル（Ｋ＿ｔｏｔ個の周波数ピン）は、サブキャリア（周波数ピン）のＮ＿ｃｌ個の等離間されたクラスターへと分割される。各クラスターは、更に、Ｎ＿ｂｌ／ｃｌブロックへと分割される。１つのコントロール／ＳＲＳリソースは、各クラスターからのＮ個の連続ブロックより成る。占有された周波数ピンの合計数Ｋは、次の式で与えられる。
Ｋ＝ＮｘＫ＿ｔｏｔ／Ｎ＿ｂｌ／ｃｌ
【００６６】
各クラスター内のＮ個の隣接ブロックは、所与のリソース内のＣＤＭ（／ＦＤＭ）を使用して並列チャンネルへと更に分割できることに注意されたい。クラスター内のＣＤＭを実現する仕方は、少なくとも２つある。その１つの技術は、クラスターごとに別々に行われるブロック拡散オペレーションに基づくものである。別の技術は、ＣＡＺＡＣ（一定振幅ゼロ自己相関シーケンス）又はＺＡＣ（ゼロ自己相関）シーケンスのサイクリックシフト分離に基づく。両スキームは、同時に使用できることに注意されたい。
【００６７】
更に、ＩＦＤＭＡは、クラスター化サブキャリアマッピングの特殊なケース（Ｋ＿ｂｌ＝１）であると考えられ、そしてＮ＿ｂｌ／ｃｌ＝ＲＰＦ、Ｎ＿ｃｌ＝Ｋ＿ｔｏｔ／ＲＰＦ及びＮ＝１のときに適用できることに注意されたい。但し、ＲＰＦは、繰り返しファクタである。
【００６８】
図７は、既存のＬＴＥパラメータ（１５ｋＨｚサブキャリア間隔、１００ＭＨｚ帯域巾、Ｋ＿ｔｏｔ＝６００サブキャリア）を仮定するリソースインデックスの一例を示す。この例では、次のパラメータ値が仮定される。
Ｎ＿ｃｌ＝１０クラスター；
Ｎ＿ｂｌ／ｃｌ＝４０ブロック／クラスター；及び
許容リソースサイズ（Ｎ）：［１、５、１０、２０、４０］ブロック
【００６９】
クラスター内のリソース割り当てにはコードツリー解決策を使用することができる。各コントロールリソースに対する周波数割り当てをシグナリングするのに６ビット（５５個のリソース）しか必要とされないことに注意されたい。
【００７０】
又、ブロックサイズ（Ｋ＿ｂｌ）が１２個の周波数ピンに等しくなるようにクラスター内のコントロールリソースのサイズを決定できることも指摘される。この解決策は、Ｒｅｌ．８適合の基準信号設計を与える。
【００７１】
図８に示すテーブルは、コントロールチャンネルに対するブロック当たりの利用可能なビット数、より詳細には、Ｎ、Ｎ＿ｃｌ＝１０及びＮ＿ｂｌ／ｃｌ＝４０の関数としての達成可能なビットレートの数を示す。コントロールシグナリングのある部分が存在しないときには分布データを送信できることに注意されたい。
【００７２】
Ｒｅｌ．８解決策に比して、本発明のこれら規範的実施形態の使用により多数の効果を実現することができる。これらの効果は、次のものを含むが、それに限定されない。
【００７３】
Ｒｅｌ．８基線解決策に比して、合計ＵＬコントロールオーバーヘッドが少なくとも７％減少されることを示すことができる。この改善の理由として、チャンネル推定エラーと周波数ダイバーシティとの間の関係が良好に最適化される（コヒレンスＢＷの狭い低ＳＮＲエリアではスロットベースＦＨがかなり最適である）こと、及びＵＬデータをもつ及びもたないＵＬ送信の２つのケースに対して個別のコントロールリソースが必要とされないことが挙げられる。更に、これらの規範的実施形態を使用すると、コントロールオーバーヘッドが小さくなり、コントロールプレーンの設計が簡単化され、シグナリングエラーに対してより頑強な設計となる。
【００７４】
更に別の効果は、ＤＴＸ／ＤＲＸの観点からコントロール／ＳＲＳシグナリングがより魅力的なものとなるので、改善された電力節約能力が実現されることである。
【００７５】
更に別の効果として、融通性のあるリソース割り当て／シグナリングスキームを設けること、及び低ＣＭ送信をサポートすることが挙げられる。
【００７６】
以上のことから、本発明の規範的実施形態は、ノードＢ１２に向かうＵＥ１０のアップリンクコントロール及びデータシグナリングを向上するための方法、装置及びコンピュータプログラム製品を提供することが明らかであろう。
【００７７】
第１の規範的実施形態では、ＵＥ１０からノードＢ１２へ情報を送信するためにＵＥ１０の全体として又はＵＥ１０の一部分として実施される方法、コンピュータプログラム、及び装置が提供される。送信中に、サウンディング基準信号と、コントロールチャンネルと、復調基準信号と、データチャンネルとの間に時分割多重化が適用され；サウンディング基準信号及びコントロールチャンネルに対してクラスター化サブキャリアマッピングが適用され；サウンディング基準信号は、コントロールチャンネルに対して復調基準信号として機能するように送信され；そして同じサブフレーム中にコントロールチャンネル及びデータチャンネルが送信される。
【００７８】
前記段落の方法、コンピュータプログラム、及び装置によれば、ＵＥ１０が送信すべきコントロール信号をもたない場合に、コントロールチャンネルに対して割り当てられた少なくともアップリンクリソースを使用してデータを送信する。
【００７９】
前記段落の方法、コンピュータプログラム、及び装置によれば、コントロールチャンネルは、データ非関連物理的アップリンクコントロールチャンネル（ＰＵＣＣＨ）であり、データチャンネルは、物理的アップリンク共有チャンネル（ＰＵＳＣＨ）である。
【００８０】
前記段落の方法、コンピュータプログラム、及び装置によれば、全アップリンク帯域巾は、１００ＭＨｚであり、各々１０ＭＨｚ帯域巾のクラスターが１０個ある。
【００８１】
前記段落の方法、コンピュータプログラム、及び装置によれば、アップリンク信号を送信するために単一のＵＥにより複数のクラスターが使用される。
【００８２】
前記段落の方法、コンピュータプログラム、及び装置によれば、複数のクラスターは、周波数が隣接している。
【００８３】
前記段落の方法、コンピュータプログラム、及び装置によれば、アップリンク送信は、２つのタイムスロットにわたって延び、サウンディング基準信号、コントロールチャンネル、復調基準信号、及びデータチャンネルの第１部分は、第１のタイムスロット間に送信され、そしてデータチャンネルの残り部分は、第２のタイムスロット間に送信される。
【００８４】
前記段落の方法、コンピュータプログラム、及び装置によれば、送信は、Ｒｅｌ．８との後方互換性のものではない。
【００８５】
更に、この実施形態によれば、アップリンク送信を受信し、コントロールチャンネル及びデータチャンネルからコントロール情報及びデータを抽出するように構成されると共に、更に、サウンディング基準信号をコントロールチャンネルに対する復調基準信号として使用するように構成されたネットワークアクセスノード及びそれに関連した方法並びにコンピュータプログラムが提供される。
【００８６】
別の規範的実施形態では、ＵＥ１０からノードＢ１２へ情報を送信するためにＵＥ１０の全体として又はＵＥ１０の一部分として実施される方法、コンピュータプログラム及び装置が提供され、この実施形態では、ＬＴＥ−Ａオペレーション中に、単一のＵＥ１０内で、サウンディング基準信号と、コントロールチャンネルと、復調基準信号と、データチャンネルとの間に時分割多重化が適用され、クラスター化サブキャリアマッピングが適用され、クラスターの数は、周波数チャンクの数に等しく、サウンディング基準信号は、コントロールチャンネルに対する復調基準信号として機能するように送信され、同じサブフレーム中にコントロールチャンネル及びデータチャンネルが送信され、そしてＲｅｌ．８オペレーション中に、ＵＥ１０は、Ｒｅｌ．８のデータチャンネルがＬＴＥ−Ａのデータチャンネルに重畳する場合に、必要に応じて、２つの記号をパンクチャーする。
【００８７】
別の規範的実施形態では、ＵＥ１０からノードＢ１２へ情報を送信するためにＵＥ１０の全体として又はＵＥ１０の一部分として実施される方法、コンピュータプログラム及び装置が提供され、この実施形態では、ＬＴＥ−Ａオペレーション中に、単一のＵＥ１０内で、コントロールチャンネルとデータチャンネルとの間に周波数分割多重化が適用され、コントロールチャンネルに対してクラスター化サブキャリアマッピングが適用され、クラスターの数は、周波数チャンクの数に等しく、サウンディング基準信号とコントロールチャンネルとの間に時分割多重化が適用され、そしてコントロールチャンネル及びデータチャンネルの同時送信は、サポートされるか、又はサポートされない。
【００８８】
前記段落の方法、コンピュータプログラム、及び装置によれば、コントロールチャンネルに対してスロットベースの周波数ホッピングが使用される。
【００８９】
前記実施形態の方法、コンピュータプログラム、及び装置によれば、クラスター化サブキャリアマッピングは、次のことに基づいて遂行され、
Ｋ＿ｔｏｔ：利用可能な周波数ピンの合計数
Ｋ＿ｂｌ：ブロック当たりの利用可能な周波数ピンの数
Ｋ：割り当てられた周波数ピンの合計数
Ｎ＿ｃｌ：クラスターの数
Ｎ＿ｂｌ／ｃｌ：クラスター当たりのブロックの数
Ｎ：（周波数的に隣接する）クラスター当たりの割り当てられたブロックの数
ここで、利用可能なスペクトル（Ｋ＿ｔｏｔ個の周波数ピン）は、サブキャリア（周波数ピン）のＮ＿ｃｌ個の等離間されたクラスターへと分割され、各クラスターは、更に、Ｎ＿ｂｌ／ｃｌブロックへと分割され、１つのコントロールチャンネル、サウンディング基準信号リソースは、各クラスターからのＮ個の連続ブロックより成り、占有された周波数ピンの合計数Ｋは、次の式で与えられる。
Ｋ＝ＮｘＫ＿ｔｏｔ／Ｎ＿ｂｌ／ｃｌ
【００９０】
前記段落の方法、コンピュータプログラム、及び装置によれば、ＩＦＤＭＡは、クラスター化サブキャリアマッピングの特殊なケース（Ｋ＿ｂｌ＝１）であり、Ｎ＿ｂｌ／ｃｌ＝ＲＰＦ、Ｎ＿ｃｌ＝Ｋ＿ｔｏｔ／ＲＰＦ及びＮ＝１のときに適用でき、ＲＰＦは、繰り返しファクタである。
【００９１】
前記段落の方法、コンピュータプログラム、及び装置によれば、クラスターのサイズは、Ｒｅｌ．８  ＬＴＥリソースブロックサイズの倍数である。
【００９２】
前記段落の方法、コンピュータプログラム、及び装置によれば、クラスター化サブキャリア送信解決策には２つのクラスターがあり、一次ＰＵＣＣＨチャンク及び一次ＰＤＣＣＨチャンクがあり、一次ＰＵＣＣＨチャンクの帯域巾は、ＵＬチャンクの帯域巾（例えば、２０ＭＨｚ）に対応し、そして２つのクラスターは、チャンク帯域巾に対してほぼ対称的に配置される。
【００９３】
前記段落の方法、コンピュータプログラム、及び装置によれば、クラスター化サブキャリア送信解決策には２つのクラスターがあり、ＬＴＥ−Ａ  ＰＵＣＣＨとＬＴＥ  Ｒｅｌ．８  ＰＵＣＣＨとの間にＦＤＭ分離が配置され、そして２つのクラスターは、ＵＬ帯域巾に対してほぼ対称的に配置される。
【００９４】
以上のことから、本発明の規範的実施形態は、ターミナル装置とネットワークアクセスノードとの間でアップリンクシグナリング及びデータ送信を遂行するための方法、装置、及びコンピュータプログラムを提供することが明らかであろう。
【００９５】
図１１は、本発明の規範的実施形態による方法の動作、及びコンピュータプログラムインストラクションの実行結果を示す論理フローチャートである。これらの規範的実施形態によれば、この方法は、ブロック１１１０において、送信中に、サウンディング基準信号と、コントロールチャンネルと、復調基準信号と、データチャンネルとの間に時分割多重化及び周波数分割多重化の少なくとも１つを適用するステップを遂行する。ブロック１１２０において、サウンディング基準信号及びコントロールチャンネルに対してクラスター化サブキャリアマッピングを適用するステップが遂行される。ブロック１１３０において、サウンディング基準信号を送信してコントロールチャンネルに対して復調基準信号として機能させるステップが遂行される。ブロック１１４０において、同じサブフレーム中にコントロールチャンネル及びデータチャンネルを送信するステップが遂行される。
【００９６】
図１２は、本発明の規範的実施形態による方法の動作、及びコンピュータプログラムインストラクションの実行結果を示す論理フローチャートである。これらの規範的実施形態によれば、この方法は、ブロック１２１０において、サウンディング基準信号を受信するステップを遂行する。ブロック１２２０において、同じサブフレーム中にコントロールチャンネル及びデータチャンネルを受信するステップが遂行される。ブロック１２３０において、コントロールチャンネル及びデータチャンネルからコントロール情報及びデータを抽出するステップが遂行される。ブロック１２４０において、サウンディング基準信号をコントロールチャンネルのための復調基準信号として使用するステップが遂行される。
【００９７】
図１１及び１２に示す種々のブロックは、方法のステップとして、及び／又はコンピュータプログラムコードのオペレーションから生じるオペレーションとして、及び／又は関連ファンクション（１つ又は複数）を実行するよう構成された複数の結合されたロジック回路素子として、考えることができる。
【００９８】
これらの種々の規範的実施形態は、方法のステップより成るものとして、及び／又はコンピュータプログラムコードのオペレーションから生じるオペレーションとして、及び／又は関連ファンクション（１つ又は複数）を実行するよう構成された複数の結合されたロジック回路素子として、考えることができる。
【００９９】
一般的に、種々の規範的実施形態は、ハードウェア又は特殊目的回路、ソフトウェア、ロジック又はその組み合わせで具現化することができる。例えば、幾つかの態様は、ハードウェアで具現化され、一方、他の態様は、コントローラ、マイクロプロセッサ又は他のコンピューティング装置で実行されるファームウェア又はソフトウェアで具現化されるが、本発明は、これに限定されない。本発明の規範的実施形態の種々の態様は、ブロック図、フローチャートとして、又は他の絵画的表現を使用して、図示して説明したが、ここに述べたブロック、装置、システム、技術又は方法は、非限定例として、ハードウェア、ソフトウェア、ファームウェア、特殊目的回路又はロジック、汎用ハードウェア又はコントローラ又は他のコンピューティング装置、或いはその幾つかの組み合わせで具現化できることを理解されたい。
【０１００】
従って、本発明の規範的実施形態の少なくとも幾つかの態様は、集積回路チップ及びモジュールのような種々のコンポーネントで実施できることが明らかであろう。集積回路の設計は、一般的に、高度に自動化されたプロセスである。ロジックレベル設計を、半導体基板上に製造する準備のできた半導体回路設計へと変換するための複雑で且つパワフルなソフトウェアツールが入手できる。このようなソフトウェアツールは、良好に確立された設計ルール、及び事前に記憶された設計モジュールのライブラリーを使用して半導体基板上に導体を自動的に引き回し、コンポーネントを配置することができる。半導体回路の設計が完了すると、それにより得られた設計は、標準電子フォーマットで、半導体製造ファシリティへ、１つ以上の集積回路デバイスとして製造するために、送信される。
【０１０１】
本発明の上述した規範的実施形態に対する種々の変更及び適応は、添付図面を参照して前記説明を読んだときに当業者に明らかとなろう。しかしながら、このような変更は、全て、本発明の非限定的実施形態の範囲内に包含される。
【０１０２】
例えば、規範的実施形態は、ＥＵＴＲＡＮ（ＵＴＲＡＮ  ＬＴＥ、Ｒｅｌ．８）システム及びＬＴＥアドバンスト（Ｒｅｌ．１０）システムに関連して上述したが、本発明の規範的実施形態は、これらの特定形式のワイヤレス通信システムのみに限定使用されるものではなく、他のワイヤレス通信システムにも効果的に使用できることが明らかであろう。
【０１０３】
更に、上述したパラメータに使用した種々の名前（例えば、Ｋ＿ｔｏｔ、Ｋ＿ｂｌ、等）は、何らそれらに限定されるものではない。というのは、これらパラメータは、適当な名前で識別できるからである。更に、これらの種々のパラメータを使用する式及び方程式は、ここに特別に開示されたものと異なってもよい。又、異なるチャンネルに指定された種々の名前（例えば、ＰＵＣＣＨ、ＰＵＳＣＨ、等）も、何らそれらに限定されるものではない。というのは、これら種々のチャンネルも、適当な名前で識別できるからである。
【０１０４】
「接続(connected)」、「結合(coupled)」又はその変形は、２つ以上の要素間の直接的又は間接的な接続又は結合を意味し、且つ一緒に「接続」又は「結合」される２つの要素
間に１つ以上の中間要素が存在することも包含することに注意されたい。要素間の結合又は接続は、物理的、論理的又はその組み合わせである。幾つかの非限定的で且つ非徹底的な例として、ここで使用する２つの要素は、１本以上のワイヤ、ケーブル及び／又は印刷電気的接続の使用により、並びに高周波領域、マイクロ波領域及び光学的領域（可視及び非可視の両方）に波長を有する電磁エネルギーのような電磁エネルギーの使用により、一緒に「接続」又は「結合」されると考えられる。
【０１０５】
更に、本発明の種々の非限定的な規範的実施形態の幾つかの特徴は、他の特徴を対応的に使用せずに効果を発揮するように、使用することができる。従って、以上の説明は、本発明の原理、教示及び規範的実施形態を単に例示するものと考えられ、それらを限定するものではない。
【符号の説明】
【０１０６】
１：ワイヤレスネットワーク
１０：ＵＥ
１０Ａ、１２Ａ：データプロセッサ（ＤＰ）
１０Ｂ、１２Ｂ：メモリ（ＭＥＭ）
１０Ｃ、１２Ｃ：プログラム（ＰＲＯＧ）
１０Ｄ、１２Ｄ：ＲＦトランシーバ
１２：ノードＢ（ｅＮＢ）
【図１】
2014140233.tif 000003
【図９】
2014140233.tif 000004
【図１１】
2014140233.tif 000005
【図１２】
2014140233.tif 000006
【図２】
2014140233.tif 000007
【図３】
2014140233.tif 000008
【図４】
2014140233.tif 000009
【図５】
2014140233.tif 000010
【図６】
2014140233.tif 000011
【図７】
2014140233.tif 000012
【図８】
2014140233.tif 000013
【図１０Ａ】
2014140233.tif 000014
【図１０Ｂ】
2014140233.tif 000015
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
システム帯域巾を一緒になって作り上げる１つ以上の周波数チャンクを利用するシステムにおいて、ユーザターミナル（１０）からペースステーション（１２）にアップリンクシグナリングを遂行するための方法において、
前記１つ以上の周波数チャンクの中で、定義された一次アップリンクチャンクの周波数でアップリンクコントロールチャンネルの送信を生じさせるステップと、
前記アップリンクチャンクの帯域巾に対して、それぞれサブキャリアを含む２つのクラスターを対称的に配置するステップと、
スロットベースの周波数ホッピングを用いた単一クラスター送信、又は、スロットベースの周波数ホッピングのない二重クラスター送信で、前記２つのクラスターを利用するステップと
を含むことを特徴とする方法。
【請求項２】
前記１つ以上の周波数チャンクの中で１つ以上の周波数チャンクで、アップリンクデータチャンネルの送信を更に含み、
前記アップリンクデータチャンネルは、前記アップリンクコントロールチャンネルを用いて同じサブフレーム中に同時に送信されること
を特徴とする請求項１に記載の方法。
【請求項３】
クラスタサイズは、ＬＴＥ  Ｒｅｌ．８  オペレーションとの後方互換を可能にするために、ＬＴＥ  Ｒｅｌ．８  リソースブロックサイズの倍数であること
を特徴とする請求項１又は２に記載の方法。
【請求項４】
システム帯域巾を一緒になって作り上げる１つ以上の周波数チャンクを利用するシステムにおいて、ユーザターミナル（１０）からアップリンクシグナリングを受信するための方法において、
前記１つ以上の周波数チャンクの中で、定義された一次アップリンクチャンクの周波数内で、２つの周波数クラスターを用いるアップリンクコントロールチャンネルの受信を、ベースステーション（１２）によって、生じさせるステップを含み、
前記２つの周波数クラスターは、前記一次アップリンクチャンクの帯域巾に対して対称的に配置され、それぞれサブキャリアを含み、
前記２つの周波数クラスターは、スロットベースの周波数ホッピングを用いた単一クラスター送信、又は、スロットベースの周波数ホッピングのない二重クラスター送信で、利用されること
を特徴とする方法。
【請求項５】
前記１つ以上の周波数チャンクの中で１つ以上の周波数チャンクで、アップリンクデータチャンネルの受信を生じさせるステップを更に含み、
前記アップリンクデータチャンネルは、前記アップリンクコントロールチャンネルを用いて同じサブフレーム中に同時に送信されること
を特徴とする請求項４に記載の方法。
【請求項６】
クラスタサイズは、ＬＴＥ  Ｒｅｌ．８  オペレーションとの後方互換を可能にするために、ＬＴＥ  Ｒｅｌ．８  リソースブロックサイズの倍数であること
を特徴とする請求項４又は５に記載の方法。
【請求項７】
コンピュータ読み取り可能な媒体に組み入れられたコンピュータプログラム製品であって、
プログラム命令を含み、装置にロードされたときに、請求項１から６のいずれか１項に記載の方法を実行することを特徴とするコンピュータプログラム製品。
【請求項８】
請求項１から６のいずれか１項に記載の方法を装置に行わせるように構成された手段を含む装置。